(57)【特許請求の範囲】
【請求項１】
映像ファイルを保存メディアに記録する映像アーカイブ装置であって、 
互いに映像種類が共通する映像ファイルをまとめる映像グループを定義する映像グループ情報を記憶する映像グループ情報記憶手段と、
複数の保存メディアが所属可能なメディアグループを定義するメディアグループ情報を記憶するメディアグループ情報記憶手段と、
１つのメディアグループと１以上の映像グループを割り当てる割当手段と、 
保存対象映像ファイルを記録する保存メディアを選択して、該選択した保存メディアへと前記保存対象映像ファイルを記録する映像記録制御手段とを備え、
前記映像記録制御手段は、前記保存対象映像ファイルの映像種類に応じて、前記保存対象映像ファイルが所属する映像グループが割り当てられたメディアグループに所属する保存メディアへと、前記保存対象映像ファイルを記録し、 
この映像アーカイブ装置は、さらに前記メディアグループに所属する保存メディアの状態を管理するメディア管理手段を備え、前記メディア管理手段は、前記メディアグループに属する保存メディアのうちで前記保存対象映像ファイルの追記を受け付ける追記対象状態の保存メディアの数を所定の最大追記対象数以下に管理することを特徴とする映像アーカイブ装置。
【請求項２】
前記メディア管理手段は、前記追記対象状態の保存メディアの数が前記最大追記対象数に達しており、前記追記対象状態の各保存メディアの残容量が前記追記対象映像ファイルのサイズに対して不足する場合に、前記追記対象状態にあって残容量が最小の保存メディアを追記不可状態とし、新しい保存メディアを前記メディアグループに追加して前記追記対象状態にすることを特徴とする請求項１に記載の映像アーカイブ装置。
【請求項３】
前記映像記録制御手段は、前記保存対象映像ファイルの追記を受け付ける状態にあり残容量が前記保存対象映像ファイルのサイズ以上のもののうちで該残容量が最小の保存メディアに前記追記対象映像ファイルを記録することを特徴とする請求項１または２に記載の映像アーカイブ装置。
【請求項４】
保存メディアへ映像ファイルを記録する映像アーカイブ方法であって、 
互いに映像種類が共通する映像ファイルをまとめる映像グループを定義し、 
複数の保存メディアが所属可能なメディアグループを定義し、 
１つのメディアグループと１以上の映像グループを割り当て、 
保存対象映像ファイルを記録する保存メディアを選択して、該選択した保存メディアに前記保存対象映像ファイルを記録する記録制御処理を行い、 
この記録制御処理は、前記保存対象映像ファイルの映像種類に応じて、前記保存対象映像ファイルが所属する映像グループが割り当てられたメディアグループに所属する保存メディアへと、前記保存対象映像ファイルを記録し、
この映像アーカイブ方法は、さらに前記メディアグループに所属する保存メディアの状態を管理するメディア管理処理を行い、このメディア管理処理は、前記メディアグループに属する保存メディアのうちで前記保存対象映像ファイルの追記を受け付ける追記対象状態の保存メディアの数を所定の最大追記対象数以下に管理することを特徴とする映像アーカイブ方法。
【発明の詳細な説明】
【技術分野】
【０００１】
本発明は、放送局などで用いられ、映像を長期保存する映像アーカイブ装置に関する。
【背景技術】
【０００２】
従来の放送局においては、映像を長期的に保存するアーカイブ手段は主としてビデオテープであった。一般には番組映像や取材映像などの関連する映像がビデオテープにまとめて録画され、関連する映像のビデオテープがまとめて棚に置かれ、管理される。
【０００３】
一方、コンピュータシステムなどでは、大容量のファイルアーカイブ装置が構築されている（例えば、特許文献１参照）。この場合、テープなどの保存メディアにファイルが保存される。ここで使われるテープは、上述のビデオテープと異なり、テープバックアップなどに使われるデータ保存用のテープであり、例えば、ＡＩＴ（Advanced Intelligent Tape）規格のテープが知られている。
【０００４】
また、最近の放送局のシステムでは、映像をコンピュータのファイル形式で扱う技術が普及しており、例えばＰ２（Professional Plug-in）規格が知られている。従来のビデオテープの代わりに、半導体メモリを備えたＰ２規格のカードが撮影カメラに装着され、カードにＰ２フォーマットの映像ファイルが記録され、この映像ファイルが放送局内で処理されていく。
【特許文献１】特開平５−４６３２５
【発明の開示】
【発明が解決しようとする課題】
【０００５】
このような背景の下、映像の長期保存にも上述のアーカイブ装置を使うことが考えられている。この場合、Ｐ２フォーマット等の映像ファイルが、上述したＡＩＴ規格テープ等の保存メディアに記録されることになる。
【０００６】
しかしながら、映像の保存を単純に大容量ファイルアーカイブ装置で行うと、従来のビデオテープを使った長期保存と同じような運用形態を残そうとしたときに、下記の如く面倒な作業が発生するという問題がある。
【０００７】
すなわち、従来のビデオテープを使った長期保存の運用では、同種の複数の映像がテープにまとめられる。一方、アーカイブシステムでは、（１）どの保存メディアにファイルが保存するかは、ユーザからは意識せず指定することもできないか、あるいは、（２）どの保存メディアにどのファイルを保存するかをすべてユーザが指定する必要がある。したがって、従来のビデオテープを使うときの長期保存と同様に同じ種類の映像をまとめようとすると、（２）の方法に従う必要がある。そして、どの保存メディアにどの映像ファイルを保存するかをユーザがいちいち指定するという面倒な作業が必要になる。
【０００８】
本発明は、従来の問題を解決するためになされたもので、その目的は、大容量ファイルアーカイブ技術を利用しつつ、映像保存を簡単に行える映像アーカイブ装置を提供することにある。
【課題を解決するための手段】
【０００９】
本発明の映像アーカイブ装置は、映像ファイルを保存メディアに記録する装置であって、映像ファイルを保存メディアに記録する記録手段と、互いに映像種類が共通する映像ファイルをまとめる映像グループを定義する映像グループ情報を記憶する映像グループ情報記憶手段と、複数の保存メディアが所属可能なメディアグループを定義するメディアグループ情報を記憶するメディアグループ情報記憶手段と、１つのメディアグループと１以上の映像グループを割り当てる割当手段と、保存対象映像ファイルを記録する保存メディアを選択して、該選択した保存メディアへと前記保存対象映像ファイルを記録する映像記録制御手段と、を備え、前記映像記録制御手段は、前記保存対象映像ファイルの映像種類に応じて、前記保存対象映像ファイルが所属する映像グループが割り当てられたメディアグループに所属する保存メディアへと、前記保存対象映像ファイルを記録する。
【００１０】
この構成により、映像グループとテープグループが予め関連づけられており、それらの情報を用いて映像ファイルを記録する保存メディアが制御される。保存対象映像ファイルの映像種類に応じて、その保存対象映像ファイルが記録されるべきメディアグループが決まり、そのメディアグループに所属する保存メディアに映像が記録される。したがって、映像の種類を指定するだけで、どの保存メディアに映像を保存するかを指定しなくても、関連する映像を保存メディアにまとめられる。このようにして、大容量ファイルアーカイブ技術を利用しつつ、映像保存を簡単に行うことができる。
【００１１】
また、本発明の映像アーカイブ装置は、前記メディアグループに所属する保存メディアの状態を管理するメディア管理手段を備え、前記メディア管理手段は、前記メディアグループに属する保存メディアのうちで前記保存対象映像ファイルの追記を受け付ける追記対象状態の保存メディアの数を所定の最大追記対象数以下に管理する。
【００１２】
この構成により、同時に追記対象状態になる保存メディアの数が最大追記対象数以下に制限され、これによりメディアグループ内で映像の保存場所がばらばらになるのを抑えられる。
【００１３】
また、本発明の映像アーカイブ装置において、前記メディア管理手段は、前記追記対象状態の保存メディアの数が前記最大追記対象数に達しており、前記追記対象状態の各保存メディアの残容量が前記追記対象映像ファイルのサイズに対して不足する場合に、前記追記対象状態にあって残容量が最小の保存メディアを追記不可状態とし、新しい保存メディアを前記メディアグループに追加して前記追記対象状態にする。
【００１４】
この構成により、メディアグループに属する保存メディアの残容量が不足したときに新しい保存メディアを自動的にメディアグループに追加できる。必要に応じて自動的に保存メディアを追加していくことができる。
【００１５】
また、本発明の映像アーカイブ装置において、前記映像記録制御手段は、前記保存対象映像ファイルの追記を受け付ける状態にあり残容量が前記保存対象映像ファイルのサイズ以上のもののうちで該残容量が最小の保存メディアに前記追記対象映像ファイルを記録する。
【００１６】
この構成により、残容量が小さい保存メディアに優先的に映像を保存するので、前後に記録される映像をなるべく同じ保存メディアにまとめることができる。さらに、上述のように同時に追記対象状態になる保存メディアの数が最大追記対象数以下に制限すると共に、ここで説明するように残容量が小さい保存メディアに優先的に映像を保存することにより、映像の保存場所のばらつき好適に抑えることができる。
【００１７】
また、本発明の別の態様は、保存メディアへ映像ファイルを記録する映像アーカイブ方法であって、互いに映像種類が共通する映像ファイルをまとめる映像グループを定義し、複数の保存メディアが所属可能なメディアグループを定義し、１つのメディアグループと１以上の映像グループを割り当て、保存対象映像ファイルを記録する保存メディアを選択して、該選択した保存メディアに前記保存対象映像ファイルを記録する記録制御処理を行い、この記録制御処理は、前記保存対象映像ファイルの映像種類に応じて、前記保存対象映像ファイルが所属する映像グループが割り当てられたメディアグループに所属する保存メディアへと、前記保存対象映像ファイルを記録する。この態様によっても上述の本発明の利点が得られる。
【発明の効果】
【００１８】
本発明は、上述のように映像グループとテープグループを定義し、それらを用いて映像ファイルを記録する保存メディアを制御することにより、映像の種類を指定するだけで、どの保存メディアに映像を保存するかを指定しなくても、関連する映像を保存メディアにまとめられ、映像保存を簡単に行うことができるという効果を有する映像アーカイブ装置を提供できる。
【発明を実施するための最良の形態】
【００１９】
以下、本発明の実施の形態の映像アーカイブ装置について、図面を用いて説明する。本実施の形態の映像アーカイブ装置は、放送局に設置される。映像アーカイブ装置の保存メディアはテープであり、より詳細には、データ保存用のＳ−ＡＩＴ規格のテープである。以下の図では、テープが模式的に丸い図形で示される。ただし、本発明の範囲内で、保存メディアはテープに限定されず、例えば、光ディスクやホログラフィックメモリ、リムーバブルＨＤＤなどでもよい。
【００２０】
本発明の第１の実施の形態の映像アーカイブ装置を図１および図２に示す。図２が映像アーカイブ装置の全体構成であり、図１が映像アーカイブ装置を構成するアーカイブサーバのブロック図である。
【００２１】
まず、図２を参照すると、映像アーカイブ装置１は、アーカイブサーバ３、Ｓ−ＡＩＴカート５および外部記憶装置７を備えている。
【００２２】
アーカイブサーバ３は、データベースサーバ機能を有するコンピュータであり、演算処理機能や、入出力機能、ネットワーク通信機能などを備える。アーカイブサーバ３への操作の入力は、アーカイブサーバ３の入力装置から直接行われてもよく、ネットワークを介してクライアント装置から行われてもよい。
【００２３】
Ｓ−ＡＩＴカート５は、テープへ映像ファイルを記録する記録手段である。Ｓ−ＡＩＴカート５は、テープへのデータ記録を行うドライブ１１と、カート内でドライブ１１に装着されるテープを交換するチェンジャロボット１３とを備える。テープはＳ−ＡＩＴカート５に脱着可能であり、外されたテープは保管棚１５に保管される。
【００２４】
外部記憶装置７は、ハードディスクであり、より詳細には複数のハードディスクで構成されたＲＡＩＤ（Redundant Array of Independent Disks）である。
【００２５】
本実施の形態では、保存対象の映像ファイルは、Ｐ２フォーマットのデータとして説明するが、もちろん他のフォーマットでもよい。映像ファイルは、放送局システムの他の機器からアーカイブサーバ３に供給され、外部記憶装置７に格納される。アーカイブサーバ３は、映像ファイルを記録すべきテープを決定し、決定したテープへと保存対象映像ファイルを記録するようにＳ−ＡＩＴカート５を動作させる。
【００２６】
アーカイブサーバ３は、概略的には、映像グループ（連続番組、ジャンルや部署、用途など）ごとに関連する映像ファイルをまとめて配置するためのテープグループをユーザの指示に従って定義し、各映像グループに属する映像ファイルを一つのテープグループのテープに保存する。例えば、１クールのドラマと前後の特番がまとめて１つのテープグループのテープに保存される。また、情報番組、バラエティ番組などがまとめて１つのテープグループのテープに保存される。
【００２７】
次に、図１を参照し、アーカイブサーバ３の構成を説明する。アーカイブサーバ３は、上記の映像保存を実現するために、映像グループテーブルを記憶する映像グループテーブル記憶部２１と、テープグループテーブルを記憶するテープグループテーブル記憶部３１と、映像グループテーブルおよびテープグループテーブルに基づいて映像ファイルのテープへの書込みを制御する制御部６１とを備える。制御部６１は、２つのテーブルを使って後述するようにテープの状態管理も行う。制御部６１はアーカイブサーバ３の全体の制御も行う。
【００２８】
映像グループテーブルは、互いに映像種類が共通する映像ファイルをまとめる映像グループを定義する情報であり、本発明の映像グループ情報に相当する。映像グループテーブルの例が図３に示されている。図３において、映像グループテーブルは、映像グループＩＤ、映像種類、映像グループ状態および割当テープグループのテーブルである。映像グループＩＤは、映像グループ毎に付けられたユニークな識別子であり、例えば映像グループ番号である。
【００２９】
映像種類は、映像グループに属すべき映像ファイルの種類である。映像種類は、番組名、番組ジャンルなどである。番組名は、例えば、ドラマＸＸＸやニュースＹＹＹである（ＸＸＸ、ＹＹＹはタイトル）。番組ジャンルは、例えば、報道やバラエティである。映像種類は、互いに関連する番組を特徴付けることができる範囲で自由に設定されてよい。
【００３０】
映像グループ状態としては、図４に示されるActive（アクティブ）状態とInactive（インアクティブ）状態がある。Active状態は、映像グループに映像を新規登録可の状態であり、Inactive状態は、映像グループに映像を新規登録不可の状態である。
【００３１】
割当テープグループは、映像グループに割り当てられたテープグループのＩＤである。複数の映像グループが同じテープグループに割り当てられてよい（すなわち、上記テーブルにより、本実施の形態では、１のテープグループに１以上の映像グループが割り当てられる）。
【００３２】
図１に示されるように、アーカイブサーバ３は、映像グループテーブル記憶部２１に関連して、映像グループ設定部２３、映像グループ状態変更部２５およびグループ割当部２７を有する。映像グループ設定部２３は、ユーザによる入力操作に従って、映像グループテーブルに対して映像グループの追加、削除、変更等の処理を行う。映像グループ状態変更部２５は、ユーザによる入力操作に応じて映像グループテーブルの映像グループ状態を変更する。例えば、１クールのドラマが終わると、該当する映像グループの状態がActiveからInactiveに変更される。その後、同ドラマが特番が放送されると、該当する映像ファイルの状態がInactiveからActiveに変更される。グループ割当部２７は、ユーザによる入力操作に応じて、映像グループにテープグループを割り当てる処理を行う。ユーザの指定に従って、テープグループのＩＤが、割当て先の映像グループの該当欄に書き込まれる。
【００３３】
次に、テープグループテーブルについて説明する。テープグループテーブルは、複数のテープが所属可能なテープグループを定義する情報であり、本発明のテープグループ情報に相当する。テープグループテーブルの例が図５に示されている。図５において、テープグループテーブルは、テープグループＩＤ、テープグループ状態、最大追記対象数および最小残容量しきい値のテーブルである。テープグループＩＤは、テープグループ毎に付けられたユニークな識別子であり、例えばテープグループ番号である。
【００３４】
テープグループ状態としては、図６に示されるActive（アクティブ）状態とInactive（インアクティブ）状態がある。Active状態は、テープグループのテープに映像を新規登録可の状態であり、Inactiveはテープグループのテープに映像を新規登録不可の状態である。テープグループに属する映像グループの内の、少なくとも１つがActive状態のとき、テープグループはActive状態になる。テープグループに属するすべての映像グループがInactive状態のとき、テープグループはInactive状態になる。テープグループの状態は、所属する映像グループの状態に連動して自動的に制御部６１により書き換えられる。
【００３５】
最大追記対象数は、テープグループを構成する各テープの状態を管理するために用いられる情報である。最大追記対象数は、同一テープグループのテープの内で映像の追記を受け付ける追記対象状態のテープの最大数を規定する。
【００３６】
また、最小残容量しきい値も、後述のテープ状態管理で使用される。最小残容量しきい値は、テープが映像ファイルで一杯になったか否かを判定する基準値として用いられる。テープの残容量が最小残容量しきい値以下になると、テープの状態が追記不可状態へと変更されることになる。
【００３７】
図１に示されるように、アーカイブサーバ３は、テープグループテーブル記憶部３１に関連して、テープグループ設定部３３、最大追記対象数設定部３５および最小残容量設定部３７を有する。テープグループ設定部３３は、ユーザによる入力操作に従って、テープグループテーブルに対してテープグループの追加、削除、変更等の処理を行う。最大追記対象数設定部３５は、ユーザによる入力操作に従って、テープグループごとに最大追記対象数を設定する。ユーザにより指定された最大追記対象数が、テープグループテーブルの該当欄に書き込まれる。さらに、最小残容量設定部３７は、ユーザによる入力操作に従って、テープグループ毎に最小残容量しきい値を設定する。ユーザにより指定された最小残容量がテープグループテーブルの該当欄に書き込まれる。
【００３８】
ここで、図７および図８を参照して、テープグループへの映像グループの割当てについてさらに説明する。例えばテープがＳ−ＡＩＴ１である場合、１本のテープには映像のビットレートが５０Ｍｂｐｓで１６．６時間、１００Ｍｂｐｓで８．３時間、１５０Ｍｂｐｓで５．５時間の映像が記録される。図７は、映像グループの複数の映像を記録するのに必要なテープ数の例を示している。
【００３９】
図７から分かるように、１つのテープグループに１つの映像グループを割り当てた場合、テープの無駄が多くなる。しかし、この管理形態では、一つのテープに同じ映像グループの映像だけが記録され、そのテープがＳ−ＡＩＴカート５から出されて保管棚１５に保管されることになる。したがって、このように１テープグループに１映像グループを割り当てる形態は、従来のビデオテープを使う映像保存形態に近いという点では便利である。
【００４０】
その一方、コストと保存スペースを優先したい場合には、１つのテープグループに対して複数の映像グループを割り当て、テープの開いたスペースに別種の映像を詰めることが好適である。
【００４１】
これらの点を考慮して、本実施の形態は、１つのテープグループに１つの映像グループを割り当てたり、複数の映像グループを割り当てることが可能に構成されており、したがって複数のパターンの割当て形態が可能である。
【００４２】
図８は、テープグループへの映像グループの割当ての３つのパターンを示している。図８において、第１のパターンでは、１テープグループに対して１映像グループが割り当てられる。このパターンの利用例は、１クールのドラマをまとめて棚に保存したい場合である。１クールが終了すると、テープに残り容量がある場合でも、テープグループをInactiveにし、カートから取り出す。半年後に特番があった場合はテープグループをActiveにし、残りスペースに映像を追記することが可能である。この第１のタイプは、従来のビデオテープを使うときの映像保存の運用に一番近いパターンである。
【００４３】
第２の割当てパターンは、１テープグループに対し複数の映像グループを割り当てるパターンである。ただし、複数の映像グループは期間的に重ならないように割り当てられる。したがって、テープグループに属する映像グループのうちで同時にActive状態になるのは１グループである。このパターンの利用例においても、１クールのドラマがまとめて棚に保存される。ただし、前のクールの後ろに次のクールのドラマを入れることが許される。また、半年後に前のクールのドラマの特番があったときには、２つのドラマが混ざることになる。このパターンは、テープとスペースを節約したい場合に有効である。
【００４４】
第３の割当てパターンも、第２の割当てパターンと同様に、１テープグループに対して複数の映像グループを割り当てるパターンである。ただし、第２パターンと異なり、複数の映像グループは期間的に重なってよい。したがって、テープグループに属する複数の映像グループが同時にActive状態になり得る。このパターンの利用例としては、報道番組の素材と白完を保存する場合が挙げられる。このパターンは、複数の報道番組で共有する素材映像などを保存するのに有効である。
【００４５】
図１に戻ると、アーカイブサーバ３は、上記の映像グループテーブル記憶部２１およびテープグループテーブル記憶部３１に加えて、テープテーブル記憶部４１および映像テーブル記憶部５１を有し、テープテーブル記憶部４１および映像テーブル記憶部５１はそれぞれテープテーブルおよび映像テーブルを記憶する。
【００４６】
テープテーブルは、各々のテープの情報を記録するテーブルである。テープテーブルの例が図９に示されている。図９において、テープテーブルは、テープＩＤ、所属テープグループ、残容量およびテープ状態のテーブルである。テープＩＤは、テープ毎に付けられたユニークな識別子であり、例えばテープ番号である。所属テープグループは、各テープが所属するテープグループのＩＤである。残容量は、各テープの記録可能領域の容量である。テープ状態は、制御部６１によって管理されるテープの状態である。後述するように、初期、追記対象、追記中断、追記不可といった４つのテープ状態が設定される。テープ状態の管理と書換えは後述するように制御部６１のテープ管理制御部６５によって行われる。
【００４７】
映像テーブルは、各々の映像ファイルの情報を記録するテーブルである。映像テーブルの例が図１０に示されている。図１０において、映像テーブルは、映像ＩＤ、ファイルサイズおよび映像種類のテーブルである。映像ＩＤは、映像ファイル毎に付けられたユニークな識別子であり、例えば映像番号である。ファイルサイズは、映像ファイルのデータサイズである。映像種類は、映像ファイルに含まれた映像の種類である。
【００４８】
アーカイブサーバ３に映像ファイルが入力されると、その映像ファイルのデータが映像テーブルに自動的に追加される。すなわち、映像テーブルに映像ＩＤとファイルサイズが自動的に書き込まれる。さらに、映像種類がユーザの操作によって指定されて映像テーブルに書き込まれる。図１に示されるように、映像テーブル上で映像種類を指定するために、映像テーブル記憶部５１に関連して映像種類指定部５３が設けられている。映像種類指定部５３は、ユーザによる入力操作に従って、各映像の種類を指定する処理を行う。ユーザにより指定された映像種類が映像テーブルの該当欄に書き込まれる。
【００４９】
映像種類指定部５３は、より詳細には、映像グループテーブルに登録された映像グループの映像種類名のリストをディスプレイに表示し、保存対象の映像ファイルが属するべき映像グループの選択をディスプレイ上でユーザに促す。そして、ユーザの選択操作に従って、選択された映像グループの映像種類が、映像ファイルＩＤと関連づけて映像テーブルに登録される。したがって、映像種類の指定によって、映像ファイルの属する映像グループが指定されることとなる。
【００５０】
変形例としては、アーカイブサーバ３に供給される映像ファイルに、メタデータ等のかたちで映像種類の情報が付加されていてよく、その映像種類が映像テーブルに書き込まれてよい。この例のように、映像種類が自動的に判定され、指定されてもよい。
【００５１】
次に、制御部６１について説明する。制御部６１は、アーカイブサーバ３の全体を制御する。また、制御部６１は映像記録制御部６３とテープ管理制御部６５を有し、映像記録制御部６３がテープへの映像ファイルの記録を制御し、テープ管理制御部６５が各テープの管理を行う。
【００５２】
映像記録制御部６３は、映像テーブル、映像グループテーブル、テープグループテーブルおよびテープテーブルを参照し、保存対象の映像ファイルを記録すべきテープを決定する。映像記録制御部６３は、１つの映像ファイルを複数のテープにまたがって記録することはない。映像記録制御部６３は、映像テーブルを参照して、保存対象の映像ファイルの映像種類を特定する。そして、映像記録制御部６３は、映像グループテーブルを参照して、保存対象の映像ファイルの映像種類に対応する映像グループを特定する。さらに、映像記録制御部６３は、映像グループテーブルを参照して、上記で特定された映像グループが割り当てられたテープグループを特定する。最後に、映像記録制御部６３は、テープテーブルを参照して、テープグループに属するテープを特定する。このとき、映像記録制御部６３は、追記可能状態にあって、保存対象の映像ファイルのサイズより残容量が多いテープの中で、残容量が最小のテープを選択する。そして、映像記録制御部６３は、選択したテープへと映像ファイルを記録する。映像ファイルは、外部記憶装置７から、Ｓ−ＡＩＴカート５内のテープへと移される。
【００５３】
テープ管理制御部６５は、映像テーブル、映像グループテーブル、テープグループテーブルおよびテープテーブルを参照し、各テープの状態を管理する。図１１は、設定可能な４種類のテープ状態を示す図であり、図１２は、テープの状態遷移の図であり、図１３は、図１２の状態遷移の条件を示している。図１３の条件に従い、各テープの状態が判定されて、テープテーブルの各テープの状態が書き換えられる。
【００５４】
図１１および図１２に示されるように、テープ状態としては、「初期」「追記対象」「追記中断」「追記不可」の４つがある。「初期」は新規テープの状態である。「追記対象」は、映像が登録された場合の追記の対象になるテープである。この状態のテープは常にカート内に位置するようにＳ−ＡＩＴカート５が制御される。「追記中断」は、一旦追記対象から外されたテープの状態である。追記中断のテープは、Ｓ−ＡＩＴカート５から取り出すことができる。追記中断のテープにはまだ残容量がある。「追記不可」は、映像が追記されないテープである。追記不可のテープもＳ−ＡＩＴカート５から取り出すことができる。
【００５５】
図１３に示されるように、状態間の遷移は、下記の条件が成立したときに発生する。
【００５６】
（１）「初期」から「追記対象」：テープグループにおける追記可能状態のテープの残容量の最大値よりも、登録映像のサイズの方が大きい場合、「初期」状態の新規のテープがテープグループに加えられ、「追記対象」状態とされる。
【００５７】
（２）「追記対象」から「追記不可」：テープへの追記後、テープの残容量が無くなった場合、テープは「追記不可」状態になる。テープの残容量がテープグループテーブル毎に設定された最小残容量しきい値以下になると、残容量が無くなったと判定される。
【００５８】
また、テープグループにおける追記可能状態のテープの数が最大追記対象数の設定を越える場合、テープグループ内で残容量が最も少ない「追記対象」状態のテープが「追記不可」状態になる。
【００５９】
（３）「追記対象」から「追記中断」：テープグループがActive状態からInactive状態になった場合、テープグループに属するすべての「追記対象」状態のテープを「追記中断」状態にする。
【００６０】
（４）「追記中断」から「追記対象」：テープグループがInactive状態からActive状態になった場合、テープグループに属するすべての「追記中断」状態のテープを「追記対象」状態にする。
【００６１】
（５）「追記中断」から「追記不可」：上記の（４）の状態遷移（「追記中断」から「追記対象」）で、テープがカート内に無い場合、ユーザに対し、カートへのテープの挿入を指示する。ユーザがカートへのテープ挿入を拒否した場合、そのテープが「追記不可」状態とされる。
【００６２】
（６）「追記不可」から「追記対象」：テープの残容量があり、ユーザの指示があった場合、「追記不可」状態のテープを「追記対象」状態にする。ただし、現在のテープグループにおける「追記対象」状態のテープ数が、最大追記対象数であったとする。この場合、「追記対象」状態のテープの中で最も残容量が少ないテープと、「追記不可」状態のテープとで、残容量が比較される。「追記不可」状態のテープの方が残容量が少なければ、ユーザの指示は失敗し、状態遷移は行われない。「追記不可」状態のテープの方が残容量が多い場合、ユーザ指示が成功し、「追記不可」状態のテープが「追記対象」状態になる。このとき、同時に、最も残容量が少ない「追記対象」状態のテープが、「追記不可」状態にされる。
【００６３】
テープ管理制御部６５は、図１３の条件に従ったプログラムを実行することにより、テープ管理を行う。図１３の条件に従って各テープの状態が判定される。そして、状態遷移が発生すると、テープテーブルのテープの状態が書き換えられる。
【００６４】
以上に本実施の形態に係る映像アーカイブ装置１の構成について説明した。次に、映像アーカイブ装置１の動作について説明する。
【００６５】
映像アーカイブ装置１では、映像ファイルの保存に先立って、ユーザ操作に従って映像グループとテープグループの登録が行われる。映像グループは、映像グループテーブル記憶部２１の映像グループテーブルに登録される。この際、各映像グループの映像種類と映像グループ状態が登録される。通常は、初期の映像グループ状態はActive状態である。各映像グループの割当対象のテープグループも映像グループテーブルに登録される。
【００６６】
また、テープグループは、テープグループテーブル記憶部３１のテープグループテーブルに登録される。この際、テープグループ状態、最大追記対象数および最小残容量しきい値が登録される。
【００６７】
映像グループとテープグループが予め登録された状態で、放送局のシステムから保存対象の映像ファイルがアーカイブサーバ３に供給される。映像ファイルの映像の内容は任意であり、例えば、白完、完パケ、素材または同録（同時録画ファイル（放送された映像の録画））である。供給された映像ファイルは、外部記憶装置７に格納される。また、アーカイブサーバ３は、供給された映像ファイルのデータを、映像テーブル記憶部５１の映像テーブルに登録する。映像ファイルのＩＤとサイズが映像テーブルに書き込まれる。
【００６８】
次に、映像種類指定部５３が、保存対象の映像ファイルの映像種類を、映像テーブル記憶部５１の映像テーブルに書き込む。既に説明したように、映像グループテーブルに登録された映像グループの映像種類名のリストが表示されて、保存対象の映像ファイルが属するべき映像グループの選択がユーザに促される。そして、ユーザの選択操作に従って、選択された映像グループの映像種類が、映像ファイルと関連づけて映像テーブルに登録される。種類指定によって、映像ファイルの属する映像グループが決まる。
【００６９】
次に、映像記録制御部６３が、上述したように、映像テーブル、映像グループテーブル、テープグループテーブルおよびテープテーブルを参照して、映像ファイルが保存されるべきテープを選択する。ここでは、映像記録制御部６３が、映像ファイルの映像種類に応じて、映像ファイルが所属する映像グループが割り当てられたテープグループに所属するテープを選択する。そして、映像記録制御部６３は、外部記憶装置７の映像ファイルを、Ｓ−ＡＩＴカート５内の選択されたテープへと記録する。
【００７０】
図１４は、映像ファイルが記録されるときのテープグループの例を示している。図１４の例では、テープグループＧに、１つの追記対象状態のテープＴａのみが登録されている。テープＴａの残容量をＶａとする。また、保存対象の映像ファイルＦｘのサイズをＶｘとする。また、テープグループＧの最小残容量しきい値をＴｈとする。また、追記対象最大数はテープ２本とする。
【００７１】
図示のように、テープＴａの残容量Ｖａと映像ファイルＦｘのサイズＶｘが比較される。残容量ＶａがファイルサイズＶｘ以上であったとする（Ｖａ≧Ｖｘ）。この場合、映像ファイルＦｘがそのままテープＴａに記録される。
【００７２】
記録後のテープＴａの残容量Ｖａ１は、Ｖａ−Ｖｘである。この残容量Ｖａ１が、最小残容量しきい値Ｔｈと比較される。残容量Ｖａ１がしきい値Ｔｈ以下であれば（Ｖａ１≦Ｔｈ）、テープＴａの残容量が無くなったので、テープＴａの状態が、追記対象状態から追記不可状態へと変更される。
【００７３】
テープ状態の変更は、テープテーブル記憶部４１のテープテーブルに対して行われる。テープの状態の判定と変更登録は、映像記録制御部６３によって行われる（以下、同じ）。
【００７４】
また、図１４の例で、テープＴａの残容量Ｖａが、映像ファイルＦｘのサイズＶｘ未満であったとする（Ｖａ＜Ｖｘ）。この場合、映像ファイルＦｘはそのままテープＴａに記録できない。そこで、新しいテープＴｂがテープグループＧに追加されて、テープＴｂの状態が初期状態から追記対象状態とされる。そして、映像記録制御部６１の指示で映像ファイルＦｘがテープＴｂへと保存される。
【００７５】
図１５は、映像ファイルが記録されるときのテープグループの別の例を示している。図１５の例では、テープグループＧの最大追記対象数は、２本に設定されている。
【００７６】
テープグループＧには、５つのテープＴａ〜Ｔｅが登録されている。これらのうち、２本のテープＴａ、Ｔｂが追記対象状態にあり、したがって追記対象状態のテープ数が既に最大追記対象数に達している。テープＴａ、Ｔｂの残容量はＶａ、Ｖｂであり、ＶｂがＶａより大きいとする（Ｖｂ＞Ｖａ）。その他のテープＴｃ、Ｔｄ、Ｔｅは、既にデータで一杯であり、追記不可状態にある。図では、追記対象状態と追記不可状態のテープの間が点線で仕切られている（以下、同じ）。また、保存対象の映像ファイルＦｘのサイズをＶｘとする。また、テープグループＧの最小残容量しきい値をＴｈとする。
【００７７】
この例の場合、テープＴａの残容量ＶａがテープＴｂの残容量Ｖｂより小さい。そこで、テープＴａの残容量Ｖａが、映像ファイルＦｘのサイズＶｘと比較される。残容量ＶａがファイルサイズＶｘ以上であったとする（Ｖａ≧Ｖｘ）。この場合、映像記録制御部６１の指示で映像ファイルＦｘがそのままテープＴａに記録される。
【００７８】
記録後のテープＴａの残容量Ｖａ１は、Ｖａ−Ｖｘである。この残容量Ｖａ１が、最小残容量しきい値Ｔｈと比較される。残容量Ｖａ１がしきい値Ｔｈ以下であれば（Ｖａ１≦Ｔｈ）、テープＴａの残容量が無くなったので、テープＴａの状態が、追記対象状態から追記不可状態へと変更される。
【００７９】
また、図１５の例で、映像ファイルＦｘのサイズＶｘが、テープＴａの残容量Ｖａより大きく、テープＴｂの残容量Ｖｂ以下であったとする（Ｖａ＜Ｖｘ≦Ｖｂ）。この場合、映像記録制御部６１の指示で映像ファイルＦｘがテープＴｂに記録される。
【００８０】
記録後のテープＴｂの残容量Ｖｂ１は、Ｖｂ−Ｖｘである。この残容量Ｖｂ１が、最小残容量しきい値Ｔｈと比較される。残容量Ｖｂ１がしきい値Ｔｈ以下であれば（Ｖｂ１≦Ｔｈ）、テープＴｂの残容量が無くなったので、テープＴｂの状態が、追記対象状態から追記不可状態へと変更される。
【００８１】
また、図１５の例で、テープＴｂの残容量Ｖｂが、映像ファイルＦｘのサイズＶｘ未満であったとする（Ｖｂ＜Ｖｘ）。映像ファイルＦｘはそのままテープＴｂに記録できない。この場合、新しいテープＴｆがテープグループＧに追加されて、テープＴｆの状態が初期状態から追記対象状態とされる。映像ファイルは、新しいテープＴｆへと保存される。
【００８２】
テープＴｆが追加されると、追記対象状態のテープの数が３本となり、最大追記対象数を越えてしまう。そこで、追記対象状態にあって残容量が最も少ないテープＴａのテープ状態が、追記対象状態から追記不可状態に変更される。これにより、追記対象状態のテープ数が、最大追記対象数以下に制御される。
【００８３】
以上に、典型的な映像ファイル記録とテープ管理の動作を説明した。次に、その他の状況でのテープ管理の動作を説明する。
【００８４】
図１６は、追記対象状態と追記中断状態との間の状態遷移の例を示す図である。図１６では、時間経過に伴うテープグループ状態とテープ状態の変化が示されている。ここでは、テープグループＧに、ある連続ドラマＤの映像グループが割り当てられているとする。連続ドラマＤが放送されている期間は、テープグループＧの状態がActive状態である。テープグループＧには５本のテープが属しており、２本のテープＴａ、Ｔｂが追記対象状態にあり、残りの３本が追記不可状態にあるとする。
【００８５】
ドラマＤの最終回の放送が終わり、映像グループがInactive状態になり、それに連動してテープグループＧがInactive状態になったとする。このとき、テープグループＧの２本のテープTａ、Ｔｂが、追記対象状態から追記中断状態に変更される。テープＴａ、ＴｂはＳ−ＡＩＴカート５から取り出して保管棚１５に移すことができる。
【００８６】
その後、ドラマＤの特番が放送され、映像グループがActive状態なり、それに連動してテープグループＧがActive状態になったとする。このとき、テープグループＧの２本のテープＴａ、Ｔｂが、追記中断状態から追記対象状態に変更される。
【００８７】
ただし、追記中断状態から追記対象状態への変更を行おうとするときに、テープＴａ、ＴｂがＳ−ＡＩＴカート５に入っておらず、保管棚１５に置かれていたとする。この場合、ディスプレイ上で、テープＴａ、ＴｂのＳ−ＡＩＴカート５への挿入がユーザに指示される。ユーザによりテープＴａ、ＴｂがＳ−ＡＩＴカート５に挿入されれば、それらテープＴａ、Ｔｂの状態が追記中断状態から追記対象状態に変更される。
【００８８】
しかし、ユーザがテープＴａ、Ｔｂの挿入を拒否したとする。この場合、テープＴａ、Ｔｂの状態が、追記中断状態から追記不可状態に変更される。カート内に追記対象状態のテープが存在しないので、新しいテープがテープグループＧに追加され、その状態が初期から追記対象状態に変更される。
【００８９】
図１７は、追記不可状態から追記対象状態への状態遷移の例を示す図である。図１７の例では、テープグループＧの最大追記対象数は、２本に設定されている。テープグループＧには、５つのテープＴａ〜Ｔｅが登録されている。これらのうち、２本のテープＴａ、Ｔｂが追記対象状態にある。テープＴａ、Ｔｂの残容量がＶａ、Ｖｂであり、ＶｂがＶａより大きいとする（Ｖｂ＞Ｖａ）。その他のテープＴｃ、Ｔｄ、Ｔｅは追記不可状態にある。このうち、テープＴｃの残容量Ｖｃは、最小残容量しきい値Ｔｈ以上であるとする（Ｖｃ≧Ｔｈ）。
【００９０】
この状態で、ユーザ操作により、テープＴｃの状態を追記不可状態から追記可能状態へ変更する指示が入力されたとする。この指示はテープ管理制御部６５に受け付けられる。この場合、追記不可状態のテープＴｃの残容量Ｖｃが、追記対象状態であって残容量が小さい方のテープＴａの残容量Ｖａと比較される。テープＴｃの残容量ＶｃがテープＴａの残容量より少なければ（Ｖｃ＜Ｖａ）、ユーザの指示は失敗し、状態遷移は行われない。テープＴｃの残容量ＶｃがテープＴａの残容量Ｖａ以上であれば（Ｖｃ≧Ｖａ）、ユーザ指示が成功し、テープＴｃの状態が追記不可状態から追記対象状態に変更される。同時に、テープＴａの状態が追記対象状態から追記不可状態に変更され、これにより、追記対象状態のテープ数が最大追記対象数以下に制御される。
【００９１】
以上に本発明の実施の形態に係る映像アーカイブ装置１について説明した。本実施の形態では、保存メディアがテープであり、メディアグループがテープグループであった。本実施の形態によれば、映像グループとテープグループが予め定義され、関連づけられており、それらの情報を用いて映像ファイルを記録する保存メディアが制御される。保存対象映像ファイルの映像種類が決まると、その保存対象映像ファイルが記録されるべきメディアグループが決まり、そのメディアグループに所属する保存メディアに映像が記録される。したがって、映像の種類を指定するだけで、どの保存メディアに映像を保存するかを指定しなくても、関連する映像を保存メディアにまとめられる。このようにして、大容量ファイルアーカイブ技術を利用しつつ、映像保存を簡単に行うことができる。
【００９２】
また、本実施の形態によれば、映像アーカイブ装置１は、メディアグループに所属する保存メディアの状態を管理するように構成されており、特に、追記対象状態の保存メディアの数を所定の最大追記対象数以下に管理する。これにより、同時に追記対象状態になる保存メディアの数が最大追記対象数以下に制限され、メディアグループ内で映像の保存場所がばらばらになるのを抑えられる。
【００９３】
また、本実施の形態によれば、映像アーカイブ装置１は、追記対象状態の保存メディアの数が最大追記対象数に達しており、追記対象状態の各保存メディアの残容量が追記対象映像ファイルのサイズに対して不足する場合に、追記対象状態にあって残容量が最小の保存メディアを追記不可状態とし、新しい保存メディアをメディアグループに追加して追記対象状態にする。これにより、メディアグループに属する保存メディアの残容量が不足したときに新しい保存メディアを自動的にメディアグループに追加できる。必要に応じて自動的に保存メディアを追加していくことができる。
【００９４】
また、本実施の形態によれば、映像アーカイブ装置１は、保存対象映像ファイルの追記を受け付ける状態にあり残容量が保存対象映像ファイルのサイズ以上のもののうちで該残容量が最小の保存メディアに追記対象映像ファイルを記録する。これにより、残容量が小さい保存メディアに優先的に映像を保存するので、前後に記録される映像をなるべく同じ保存メディアにまとめることができる。さらに、上述のように同時に追記対象状態になる保存メディアの数が最大追記対象数以下に制限すると共に、ここで説明したように残容量が小さい保存メディアに優先的に映像を保存することにより、映像の保存場所のばらつき好適に抑えることができる。
【００９５】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００９６】
以上のように、本発明にかかる映像アーカイブ装置は、大容量ファイルアーカイブ技術を利用しつつ、映像保存を簡単に行えるという効果を有し、放送局等の映像アーカイブ装置として有用である。
【図面の簡単な説明】
【００９７】
【図１】本発明の第１の実施の形態における映像アーカイブ装置を構成するアーカイブサーバのブロック図
【図２】映像アーカイブ装置の全体構成を示す図
【図３】映像グループテーブルの例を示す図
【図４】映像グループ状態の一覧を示す図
【図５】テープグループテーブルの例を示す図
【図６】テープグループ状態の一覧を示す図
【図７】１つの映像グループの映像を記録するのに必要なテープ本数を示す図
【図８】テープグループと映像グループの割当てパターンを示す図
【図９】テープテーブルの例を示す図
【図１０】映像テーブルの例を示す図
【図１１】テープグループにおけるテープ状態の一覧を示す図
【図１２】テープグループにおけるテープの状態遷移を示す図
【図１３】テープグループにおけるテープの状態遷移の条件を示す図
【図１４】映像ファイルの記録とテープ管理の動作例を示す図
【図１５】映像ファイルの記録とテープ管理の動作例を示す図
【図１６】テープ管理の動作例を示す図
【図１７】テープ管理の動作例を示す図
【符号の説明】
【００９８】
１  映像アーカイブ装置
３  アーカイブサーバ
５  Ｓ−ＡＩＴカート
７  外部記憶装置
２１  映像グループテーブル記憶部
２３  映像グループ設定部
２５  映像グループ状態変更部
２７  グループ割当部
３１  テープグループテーブル記憶部
３３  テープグループ設定部
３５  最大追記対象数設定部
３７  最小残容量設定部
４１  テープテーブル記憶部
５１  映像テーブル記憶部
５３  映像種類指定部
６１  制御部
６３  映像記録制御部
６５  テープ管理制御部
【図１】
0004471304.tif 000002
【図２】
0004471304.tif 000003
【図３】
0004471304.tif 000004
【図４】
0004471304.tif 000005
【図５】
0004471304.tif 000006
【図６】
0004471304.tif 000007
【図７】
0004471304.tif 000008
【図８】
0004471304.tif 000009
【図９】
0004471304.tif 000010
【図１０】
0004471304.tif 000011
【図１１】
0004471304.tif 000012
【図１２】
0004471304.tif 000013
【図１３】
0004471304.tif 000014
【図１４】
0004471304.tif 000015
【図１５】
0004471304.tif 000016
【図１６】
0004471304.tif 000017
【図１７】
0004471304.tif 000018